(57)【要約】【課題】近距離無線通信を行う外部機器を載置する位置とＵＳＢポートの両方を視認しやすい画像形成装置を提供する。【解決手段】画像形成装置１は、排出トレイ６が上面に設けられ、画像形成部を収容する第１筐体２と、第１筐体２の上方に設けられ、画像読取部を収容する第２筐体３と、第１筐体２の上面に第２筐体３を持ち上げて支持するように設けられ、排出トレイ６に排出されたシートを取り出すための開口部４４の一部を形成する脚部４と、第１筐体２の上面又は脚部４に設けられ、幅方向において排出トレイ６の幅外に配置され、近距離無線通信を行う外部機器を載置する位置を示すＮＦＣマーク７１と、第２筐体３又は脚部４に設けられ、幅方向においてＮＦＣマーク７１と同じ側であってＮＦＣマーク７１よりも上方又は下方に配置されたＵＳＢポート８１とを備える。【選択図】図１
2020142393.tif 000002
【特許請求の範囲】
【請求項１】
排出ローラによって排出されたシートを支持する排出トレイが上面に設けられ、シートに画像を形成する画像形成部を収容する第１筐体と、
前記第１筐体の上方に設けられ、原稿の画像を読み取る画像読取部を収容する第２筐体と、
前記第１筐体の上面に前記第２筐体を持ち上げて支持するように設けられ、前記排出トレイに排出されたシートを取り出すための開口部の一部を形成する脚部と、
前記第１筐体の上面又は前記脚部に設けられ、前記排出ローラのシート排出方向と直交する幅方向において前記排出トレイの幅外に配置され、近距離無線通信を行う外部機器を載置する位置を示すマークと、
前記第２筐体又は前記脚部に設けられ、前記幅方向において前記マークと同じ側であって前記マークよりも上方又は下方に配置されたＵＳＢポートと、を備えることを特徴とする画像形成装置。
【請求項２】
前記脚部のシート排出方向下流側端面は、前記第２筐体のシート排出方向下流側端部よりもシート排出方向上流側に配置され、
前記ＵＳＢポートは、前記脚部のシート排出方向下流側端面に設けられることを特徴とする請求項１に記載の画像形成装置。
【請求項３】
前記脚部は、着脱可能な第３筐体を有し、
前記マークと前記ＵＳＢポートとは、前記第３筐体の異なる面に設けられることを特徴とする請求項１又は請求項２に記載の画像形成装置。
【請求項４】
前記第３筐体は、シート排出方向に下方へ傾斜した傾斜面を有し、
前記マークは、前記傾斜面に設けられることを特徴とする請求項３に記載の画像形成装置。
【請求項５】
前記ＵＳＢポートは、前記第２筐体に設けられることを特徴とする請求項１に記載の画像形成装置。
【請求項６】
前記ＵＳＢポートは、平面視したときに前記第１筐体と重なる位置に配置されることを特徴とする請求項１から請求項５の何れか一項に記載の画像形成装置。
【請求項７】
前記幅方向において前記マークと同じ側に前記画像形成装置の電源スイッチが設けられることを特徴とする請求項１から請求項６の何れか一項に記載の画像形成装置。
【請求項８】
前記幅方向において前記マークと反対側に設けられ、前記画像形成装置を操作するための操作パネルを備えることを特徴とする請求項１から請求項７の何れか一項に記載の画像形成装置。
【請求項９】
前記近距離無線通信のための基板が、前記マークと対向する位置に設けられることを特徴とする請求項１から請求項８の何れか一項に記載の画像形成装置。
【発明の詳細な説明】
【技術分野】
【０００１】
本発明は、画像形成装置に関する。
【背景技術】
【０００２】
従来からＮＦＣ（Ｎｅａｒ  Ｆｉｅｌｄ  Ｃｏｍｍｕｎｉｃａｔｉｏｎ）等の近距離無線通信によってＩＣカードやスマートフォン等の外部機器と通信可能な画像形成装置が知られている。例えば特許文献１には、外部機器の載置場所を上方側から見通すことが可能な位置に設けた画像形成装置が開示されている。
【先行技術文献】
【特許文献】
【０００３】
【特許文献１】特開２０１７−６８２７８号公報
【発明の概要】
【発明が解決しようとする課題】
【０００４】
また、近年はＵＳＢメモリなどのＵＳＢ機器との通信を行うためＵＳＢ（Ｕｎｉｖｅｒｓａｌ  Ｓｅｒｉａｌ  Ｂｕｓ）ポートを備えた画像形成装置もある。通常、ＵＳＢポートはユーザの利便性を考慮して画像形成装置の正面や側面に配置されている。そこで、画像形成装置にＮＦＣ基板とＵＳＢポートの両方を設ける場合があるが、両者の視認性には工夫の余地がある。
【０００５】
本発明は、近距離無線通信を行う外部機器を載置する位置とＵＳＢポートの両方を視認しやすい画像形成装置を提供することを目的とする。
【課題を解決するための手段】
【０００６】
本発明の画像形成装置（１）は、排出ローラ（２８）によって排出されたシートを支持する排出トレイ（６）が上面に設けられ、シートに画像を形成する画像形成部を収容する第１筐体（２）と、第１筐体（２）の上方に設けられ、原稿の画像を読み取る画像読取部を収容する第２筐体（３）と、第１筐体（２）の上面に第２筐体（３）を持ち上げて支持するように設けられ、排出トレイ（６）に排出されたシートを取り出すための開口部（４４）の一部を形成する脚部（４）と、第１筐体（２）の上面又は脚部（４）に設けられ、排出ローラ（２８）のシート排出方向と直交する幅方向において排出トレイ（６）の幅外に配置され、近距離無線通信を行う外部機器を載置する位置を示すＮＦＣマーク（７１）と、第２筐体（３）又は脚部（４）に設けられ、幅方向においてＮＦＣマーク（７１）と同じ側であってＮＦＣマーク（７１）よりも上方又は下方に配置されたＵＳＢポート（８１）とを備える。
【発明の効果】
【０００７】
本発明によれば、近距離無線通信のマーク及びＵＳＢポートは排出されたシートに覆われることがないため、常にマーク及びＵＳＢポートの視認性が確保される。そして、マークとＵＳＢポートとが幅方向の同じ側に配置されることにより、ユーザは同じ方向を確認するだけでマークとＵＳＢポートの両方を確認することができ、視認しやすい。また、近距離無線通信のマークとＵＳＢポートとが上下方向に離間して配置されることにより、ＵＳＢポートに差し込まれたＵＳＢ機器とマークにかざす外部機器との干渉を抑制でき、操作性に優れる。
【図面の簡単な説明】
【０００８】
【図１】一実施形態の画像形成装置の斜視図である。
【図２】一実施形態の画像形成装置の正面図である。
【図３】一実施形態の画像形成装置の平面図である。
【図４】一実施形態の画像形成装置の右側面図である。
【図５】図３のＡ−Ａ断面拡大図であって排出ストッパが使用位置にある状態を示す図である。
【図６】変形例１の画像形成装置の正面図である。
【図７】変形例２の画像形成装置の斜視図である。
【図８】変形例３の画像形成装置の斜視図である。
【発明を実施するための形態】
【０００９】
以下の説明では、図１に示すように画像形成装置１が使用可能に設置された状態を基準とし、シートトレイ２７が引き出される側を前、その反対側を後とし、画像形成装置１を前側から見て左右方向を規定し、さらに画像形成装置１の第２筐体３側を上、第１筐体２側を下とし、各方向を定める。本実施形態において、左右方向は排出ローラ２８のシート排出方向と直交する幅方向の一例である。
【００１０】
［画像形成装置の全体構成］
図１は本発明の一実施形態の画像形成装置１の斜視図、図２はその正面図、図３はその平面図、図４はその右側面図、図５は図３のＡ−Ａ断面拡大図であって排出ストッパ６２が使用位置にある状態を示す図である。画像形成装置１は、いわゆる胴内排出型と呼ばれる形態を有する。画像形成装置１は、第１筐体２と、第２筐体３と、脚部４と、操作パネル５とを備えている。
【００１１】
第１筐体２は、外観を構成する略直方体形状のカバー２０を有している。カバー２０は、前面２１と、背面２２と、左面２３と、右面２４と、上面２５と、底面２６とを有する。前面２１の下部にはシートトレイ２７を挿抜するための開口部２１１が形成されている。
【００１２】
第１筐体２には、画像形成前のシートを支持するシートトレイ２７と、シートトレイ２７からシートを搬送する搬送機構と、搬送機構によって搬送されてきたシートに画像を形成する画像形成部と、画像形成部から第１筐体２外へシートを搬送する排出機構とが収容されている。排出機構の搬送方向の最下流部には、シートを排出する排出ローラ２８が設けられている。
【００１３】
シートトレイ２７は、開口部２１１を介して第１筐体２に収容される収容位置（図１に示す位置）と開口部２１１を介して第１筐体２から前方へ引き出される引出位置との間でスライド可能である。画像形成部の構成には特に限定はなく、電子写真方式、インクジェット方式、サーマルヘッド方式などの構成を用いることができる。
【００１４】
また、第１筐体２の上面２５には排出機構によって排出されるシートを支持する排出トレイ６が設けられている。排出トレイ６は第１筐体２の上面２５に後側から前側に向かって凸状に湾曲しつつ登るように傾斜した形状に形成されている。これにより、画像が形成されたシートは、排出機構によって後側から前側に向かって排出トレイ６に排出される。
【００１５】
排出トレイ６は、排出トレイ６における幅方向の中央部に設けられた突出部６１と、突出部６１に設けられた排出ストッパ６２とを有している。突出部６１は、排出トレイ６の他の面よりも上方へ突出し、後方へ向かって下方に傾斜した台状部材である。排出ストッパ６２は、後端部が突出部６１に回動可能に支持された略矩形の板状部材である。排出ストッパ６２は、突出部６１の上端部に沿って水平に位置する収納位置（図４に示す位置）と、前端部が立ち上がった使用位置（図５に示す位置）との間で揺動する。排出ストッパ６２が使用位置にあるとき、排出トレイ６に排出されたシートは排出ストッパ６２に当接して排出トレイ６上に規制される。
【００１６】
このような突出部６１により、排出されたシートの幅方向の両端部が持ち上がるようにカールしている場合でも、シートの幅方向の中央部が持ち上げられて支持されることによって、カールを軽減することができる。また、シートが排出トレイ６に支持されている状態において、シート下の突出部６１の周辺にシートを掴むための空間を形成することができる。なお、突出部６１は必須の構成ではなく、省略することもできる。
【００１７】
また、第１筐体２の上面２５には画像形成装置１の電源スイッチ２９が設けられている。電源スイッチ２９は、視認しやすく操作しやすいように、第１筐体２の上面２５における排出ストッパ６２よりも前側であって、幅方向において排出トレイ６の幅外に配置することが好ましい。本実施形態において電源スイッチ２９は、第１筐体２の上面２５における右前部分に設けられている。
【００１８】
第２筐体３は、第１筐体２の上方に設けられ、原稿読取装置３１を備えている。原稿読取装置３１は、原稿を支持する原稿台３２１が上面に設けられ、原稿台３２１に支持された原稿の画像を読み取る画像読取部を収容する筐体３２を有している。また、原稿読取装置３１は、筐体３２の上方に設けられ、後端部に配置された回動軸心を中心に前端部が原稿台３２１を覆う閉位置と原稿台３２１を開放する開位置との間で揺動可能な原稿押さえ３３を有している。原稿押さえ３３は、その上部に、原稿を原稿台３２１に自動搬送する自動原稿送り装置（以下、ＡＤＦ（ａｕｔｏ  ｄｏｃｕｍｅｎｔ  ｆｅｅｄｅｒ）と記す）３４を備えている。
【００１９】
脚部４は、左脚部４１と、右脚部４２と、後脚部４３とを有している。左脚部４１、右脚部４２、後脚部４３は、それぞれ第１筐体２の上面において、左端部、右端部、後端部に配置され、第２筐体３を持ち上げて支持する。これにより、第２筐体３は排出トレイ６の上方にシートが排出される排出空間６３を介して設置される。また、左脚部４１と右脚部４２と第１筐体２の上面と第２筐体３の下面とによって画像形成装置１の前面側に開口部４４が形成され、開口部４４を通じて排出空間６３が前方に開放されている。よって、ユーザは開口部４４を通じて排出トレイ６に排出されたシートを取り出すことができる。
【００２０】
本実施形態において、右脚部４２の前端面４２Ａは、第２筐体３の前端面３Ａよりも後側に配置されている。これにより、排出空間６３の右側が大きく開放され、排出トレイ６に排出されたシートを右側から取り出しやすくなる。
【００２１】
操作パネル５は、略直方体形状のパネルであり、幅方向の長さが第２筐体３の幅方向の長さの半分以下である。操作パネル５は、左端部が第２筐体３の左端部と面一となるように、第２筐体３の前端面３Ａから前方へ突出して設けられる。操作パネル５は、上面５１に液晶パネル等の表示具と画像形成部及び画像読取部を操作するためのタッチパネルや操作ボタン等の操作具とを備えている。
【００２２】
［ＮＦＣ］
図３に示すように、第１筐体２の上面２５には、ＮＦＣ機能を有するＩＣカードやスマートフォン等の外部機器を載置する位置を示すＮＦＣマーク７１が印刷されている。ＮＦＣマーク７１の大きさや形状には特に限定はない。また、ＮＦＣマーク７１は印刷以外であってもよく、例えば、透光性部材で構成し、透光性部材の直下に発光ダイオード等の光源を配置してマークが光る構成としてもよい。ユーザは、このＮＦＣマーク７１を目安にして外部機器を載置することで、外部機器と画像形成装置１との間で無線通信させることができる。
【００２３】
ＮＦＣマーク７１は、図３に示す領域Ｂ又は領域Ｃに配置することができる。領域Ｂは、第１筐体２の上面２５における排出トレイ６の幅外の領域のうち、排出トレイ６の右側の領域である。一方、領域Ｃは、第１筐体２の上面２５における排出トレイ６の幅外の領域のうち、排出トレイ６の左側の領域である。本実施形態では、領域Ｂにおける右脚部４２の前端面４２Ａから前方へ離れた位置にＮＦＣマーク７１が配置されている。
【００２４】
この構成によれば、ＮＦＣマーク７１は排出されたシートに覆われることがないため、常にＮＦＣマーク７１の視認性が確保される。また、ＮＦＣマーク７１はユーザから見て手前側に配置されるため、ユーザはＮＦＣマーク７１に外部機器を載置しやすい。
【００２５】
ＮＦＣ基板７０は、外部機器との良好な無線通信を実現するために、第１筐体２内部のＮＦＣマーク７１と対向する位置に設けられる。本実施形態では、ＮＦＣマーク７１の直下であるカバー２０の上面２５の内側に沿ってＮＦＣ基板７０が配置される。ＮＦＣ基板７０は、略矩形の板状の回路基板であり、ループアンテナ７２をはじめ通信回路や検出回路等を搭載している。
【００２６】
ループアンテナ７２は、ＮＦＣマーク７１の直下に位置するようにＮＦＣ基板７０の上面に配置される。ループアンテナ７２は、外部機器と通信するための電波を送受信する機能を有する。通信回路は、送受信される電波を信号処理する機能を有する。検出回路は、ループアンテナ７２に流れる電流を検出することにより、ループアンテナ７２にて送受信される電波の強度を検出する機能を有する。
【００２７】
［ＵＳＢ］
図２に示すように、画像形成装置１の幅方向においてＮＦＣマーク７１と同じ側の脚部４には、ＵＳＢメモリやデジタルカメラ等のＵＳＢ機器の端子を接続するためのＵＳＢポート８１が設けられている。本実施形態では、ＮＦＣマーク７１が幅方向において右側に設けられているため、右脚部４２の前端面４２ＡにＵＳＢポート８１が設けられている。右脚部４２の前端面４２ＡにおけるＵＳＢポート８１の位置には特に限定はなく、ＵＳＢ機器を前方から接続できる位置であればよい。
【００２８】
右脚部４２の前端面４２ＡにおけるＵＳＢポート８１近傍には、ＵＳＢマーク８２が印刷されている。なお、ＵＳＢマーク８２は、ＵＳＢポート８１の近傍に配置されていればよく、例えば、ＵＳＢポート８１の前下方に位置するカバー２０の上面２５に配置してもよい。ユーザは、ＵＳＢマーク８２又はＵＳＢポート８１を視認することで、ＵＳＢポート８１の位置を認識することができる。
【００２９】
このように、ＵＳＢポート８１を右脚部４２の前端面４２Ａに設けることにより、ＵＳＢポート８１は排出されたシートに覆われることがないため、常にＵＳＢポート８１の視認性が確保される。そして、ＮＦＣマーク７１とＵＳＢポート８１とが幅方向の同じ側に配置されることにより、ユーザは同じ方向を確認するだけでＮＦＣマーク７１とＵＳＢポート８１の両方を確認することができ、視認しやすい。また、ＮＦＣマーク７１とＵＳＢポート８１とが上下方向に離間して配置されることにより、ＵＳＢポート８１に差し込まれたＵＳＢ機器とＮＦＣマーク７１にかざす外部機器との干渉を抑制でき、操作性に優れる。
【００３０】
また、ＵＳＢポート８１を右脚部４２の前端面４２Ａに設けることにより、右脚部４２の空いたスペースを有効に利用できる。また、右脚部４２の前端面４２Ａが第２筐体３の前端面３Ａよりも後側に配置されることにより、ＵＳＢポート８１に差し込まれたＵＳＢ機器が、平面視で第２筐体３から突出しにくくなるため、ユーザがＵＳＢ機器に衝突して破損する危険性を抑制できる。
【００３１】
ＵＳＢポート８１は、平面視したときに第１筐体２と重なる位置に配置されることが好ましい。これにより、ＵＳＢポート８１に差し込まれたＵＳＢ機器が、平面視で第１筐体２から突出しにくくなるため、ユーザがＵＳＢ機器に衝突して破損する危険性を抑制できる。本実施形態では、右脚部４２の前端面４２Ａのどの位置にＵＳＢポート８１を配置しても平面視したときに第１筐体２と重なる位置となる。また、左脚部４１の前端面のどの位置にＵＳＢポート８１を配置しても平面視したときに第１筐体２と重なる位置となる。
【００３２】
ＵＳＢポート８１とＮＦＣマーク７１とは、幅方向において操作パネル５と反対側に設けられることが好ましい。これにより、操作パネル５によってＵＳＢポート８１及びＮＦＣマーク７１が覆われないため、ＵＳＢポート８１及びＮＦＣマーク７１の視認性を確保することができる。本実施形態では、右脚部４２の前端面４２Ａのどの位置にＵＳＢポート８１を配置しても操作パネル５とは幅方向において反対側の位置となる。また、領域Ｂのどの位置にＮＦＣマーク７１を配置しても操作パネル５とは幅方向において反対側の位置となる。
【００３３】
ＵＳＢ基板８０は、右脚部４２内部に設けられる。ＵＳＢ基板８０は、略矩形の板状の回路基板であり、ＵＳＢポート８１及び変換回路を搭載している。ＵＳＢポート８１は、ＵＳＢ基板８０の上面において前方へ突出するように配置されている。変換回路は、ＵＳＢポート８１の信号線を所定のピッチに変換する回路である。
【００３４】
また、電源スイッチ２９は、ＮＦＣマーク７１及びＵＳＢポート８１と幅方向において同じ側である右側に配置されている。ＮＦＣマーク７１とＵＳＢポート８１と電源スイッチ２９とが幅方向の同じ側に配置されることにより、ユーザは同じ方向を確認するだけでＮＦＣマーク７１とＵＳＢポート８１と電源スイッチ２９とを確認することができ、視認しやすい。
【００３５】
［変形例１］
図６は変形例１の画像形成装置９の正面図である。変形例１の画像形成装置９が上記の画像形成装置１と異なる点は、ＵＳＢポート９１、ＵＳＢマーク９２及びＵＳＢ基板９３の位置であり、その他の構成は上記の画像形成装置１と同様である。以下の変形例１から変形例３の説明では、主に上記の画像形成装置１と異なる点について説明し、上記の画像形成装置１と同様の構成については同符号を付し、その詳細な説明を省略する。
【００３６】
ＵＳＢポート９１は、画像形成装置９の幅方向においてＮＦＣマーク７１と同じ側の第２筐体３に設けられている。変形例１では、ＮＦＣマーク７１が幅方向において右側に設けられているため、第２筐体３の前端面３Ａの右端部にＵＳＢポート９１が設けられている。第２筐体３の前端面３ＡにおけるＵＳＢポート９１の位置は前端面３Ａの右半分の領域Ｄであれば特に限定はなく、ＵＳＢ機器を前方から接続できる位置であればよい。
【００３７】
第２筐体３の前端面３ＡにおけるＵＳＢポート９１近傍には、ＵＳＢマーク９２が設けられている。ＵＳＢ基板９３は、上記のＵＳＢ基板８０と同構成であり、第１筐体２内部に設けられる。
【００３８】
このように、ＵＳＢポート９１を第２筐体３の前端面３Ａに設けることにより、ＵＳＢポート９１は排出されたシートに覆われることがないため、常にＵＳＢポート９１の視認性が確保される。そして、ＮＦＣマーク７１とＵＳＢポート９１とが幅方向の同じ側に配置されることにより、ユーザは同じ方向を確認するだけでＮＦＣマーク７１とＵＳＢポート９１の両方を確認することができ、視認しやすい。
【００３９】
また、ＮＦＣマーク７１とＵＳＢポート９１とが上下方向に離間して配置されることにより、ＵＳＢポート９１に差し込まれたＵＳＢ機器とＮＦＣマーク７１にかざす外部機器との干渉を抑制でき、操作性に優れる。また、ＵＳＢポート９１を第２筐体３の前端面３Ａに設けることにより、第２筐体３の空いたスペースを有効に利用できる。
【００４０】
ＵＳＢポート９１は、平面視したときに第１筐体２と重なる位置に配置されることが好ましい。これにより、ＵＳＢポート９１に差し込まれたＵＳＢ機器が、平面視で第１筐体２から突出しにくくなるため、ユーザがＵＳＢ機器に衝突して破損する危険性を抑制できる。変形例１では、第２筐体３の前端面３Ａが第１筐体２の前面２１よりも後側に配置されているため、第２筐体３の前端面３Ａにおける領域Ｃのどの位置にＵＳＢポート９１を配置しても平面視したときに第１筐体２と重なる位置となる。
【００４１】
ＵＳＢポート９１とＮＦＣマーク７１とは、幅方向において操作パネル５と反対側に設けられることが好ましい。これにより、ＵＳＢポート９１に差し込まれたＵＳＢ機器が操作パネル５上に突出しないため、操作パネル５の操作性を確保することができる。また、操作パネル５によってＮＦＣマーク７１が覆われないため、ＮＦＣマーク７１の視認性を確保することができる。
【００４２】
［変形例２］
図７は変形例２の画像形成装置１０の斜視図である。変形例２の画像形成装置１０が上記の画像形成装置１と異なる点は、脚部４が第３筐体１０１を有する点と、ＮＦＣマーク１０２、ＮＦＣ基板１０３、ＵＳＢポート１０４、ＵＳＢマーク１０５、ＵＳＢ基板１０６の位置とであり、その他の構成は上記の画像形成装置１と同様である。
【００４３】
第３筐体１０１は、脚部４の一部として右脚部４２と同じ幅に形成された直方体形状の着脱可能な筐体である。第３筐体１０１は、後面が右脚部４２の前端面４２Ａに接触し、底面が第１筐体２の上面２５に接触し、左面が右脚部４２の左面と面一になる位置に取り付けられる。
【００４４】
ＮＦＣマーク１０２とＵＳＢポート１０４とは、第３筐体１０１の異なる面に上下方向にずらして設けられる。図７においては、第３筐体１０１の上面１０１ＡにＮＦＣマーク１０２が設けられ、第３筐体１０１の前面１０１ＢにＵＳＢポート１０４が設けられている。また、第３筐体１０１の前面１０１ＢにおけるＵＳＢポート１０４近傍に、ＵＳＢマーク１０５が設けられている。
【００４５】
ユーザは、ＮＦＣマーク１０２を目安にして第３筐体１０１の上面１０１Ａに外部機器を載置することで、外部機器と画像形成装置１０との間で無線通信させることができる。またユーザは、ＵＳＢマーク１０５又はＵＳＢポート１０４を視認することで、ＵＳＢポート１０４の位置を認識することができる。
【００４６】
ＮＦＣ基板１０３は、上記のＮＦＣ基板７０と同構成であり、第３筐体１０１内部のＮＦＣマーク１０２と対向する位置に設けられる。ＵＳＢ基板１０６は、上記のＵＳＢ基板８０と同構成であり、第３筐体１０１内部に設けられる。
【００４７】
変形例２の構成によれば、ＮＦＣマーク１０２は排出されたシートに覆われることがないため、常にＮＦＣマーク１０２の視認性が確保される。また、ＮＦＣマーク１０２はユーザから見て手前側に配置されるため、ユーザはＮＦＣマーク１０２に外部機器を載置しやすい。
【００４８】
また、ＵＳＢポート１０４を第３筐体１０１の前面１０１Ｂに設けることにより、ＵＳＢポート１０４は排出されたシートに覆われることがないため、常にＵＳＢポート１０４の視認性が確保される。そして、ＮＦＣマーク１０２とＵＳＢポート１０４とが幅方向の同じ側に配置されることにより、ユーザは同じ方向を確認するだけでＮＦＣマーク１０２とＵＳＢポート１０４の両方を確認することができ、視認しやすい。また、ＮＦＣマーク１０２とＵＳＢポート１０４とが上下方向に離間して配置されることにより、ＵＳＢポート１０４に差し込まれたＵＳＢ機器とＮＦＣマーク１０２にかざす外部機器との干渉を抑制でき、操作性に優れる。
【００４９】
ＵＳＢポート１０４は、平面視したときに第１筐体２と重なる位置に配置されることが好ましい。これにより、ＵＳＢポート１０４に差し込まれたＵＳＢ機器が、平面視で第１筐体２から突出しにくくなるため、ユーザがＵＳＢ機器に衝突して破損する危険性を抑制できる。変形例２では、第３筐体１０１の前面１０１Ｂが第１筐体２の前面２１よりも後側に配置されているため、第３筐体１０１の前面１０１Ｂのどの位置にＵＳＢポート１０４を配置しても平面視したときに第１筐体２と重なる位置となる。
【００５０】
ＵＳＢポート１０４とＮＦＣマーク１０２とは、幅方向において操作パネル５と反対側に設けられることが好ましい。これにより、操作パネル５によってＵＳＢポート１０４及びＮＦＣマーク１０２が覆われないため、ＵＳＢポート１０４及びＮＦＣマーク１０２の視認性を確保することができる。変形例２では、第３筐体１０１が幅方向において操作パネル５と反対側に設けられるため、第３筐体１０１に設けられるＵＳＢポート１０４及びＮＦＣマーク１０２は、幅方向において操作パネル５と反対側の位置となる。
【００５１】
第３筐体１０１は画像形成装置１０に着脱可能であるため、ＮＦＣ及びＵＳＢの機能を搭載しない仕様の場合は第３筐体１０１を取り付けず、ＮＦＣ及びＵＳＢの機能を搭載する仕様の場合は第３筐体１０１を取り付けることにより、異なる仕様の製品を簡単に製造することができる。
【００５２】
［変形例３］
図８は変形例３の画像形成装置１１の斜視図である。変形例３の画像形成装置１１が変形例２の画像形成装置１０と異なる点は、第３筐体１１１の形状と、ＮＦＣマーク１１２及びＮＦＣ基板１１３の位置とであり、その他の構成は変形例２の画像形成装置１０と同様である。
【００５３】
第３筐体１１１は、脚部４の一部として右脚部４２と同じ幅に形成された着脱可能な筐体である。第３筐体１１１は、後面が右脚部４２の前端面４２Ａに接触し、底面が第１筐体２の上面２５に接触し、左面が右脚部４２の左面と面一になる位置に取り付けられる。第３筐体１１１は、第２筐体３の前下端部から前下方へ傾斜した傾斜面１１１Ａと、傾斜面１１１Ａの前端部から前方へ延びる上面１１１Ｂと、上面１１１Ｂの前端部から下方へ延びる前面１１１Ｃとを有している。
【００５４】
ＮＦＣマーク１１２とＵＳＢポート１０４とは、第３筐体１１１の異なる面に上下方向にずらして設けられる。図８においては、第３筐体１１１の傾斜面１１１ＡにＮＦＣマーク１１２が設けられている。また、変形例２と同様に、第３筐体１１１の前面１１１ＣにＵＳＢポート１０４が設けられ、第３筐体１１１の前面１１１ＣにおけるＵＳＢポート１０４近傍に、ＵＳＢマーク１０５が設けられている。
【００５５】
ユーザは、ＮＦＣマーク１１２を目安にして第３筐体１１１の傾斜面１１１Ａに外部機器を載置することで、外部機器と画像形成装置１１との間で無線通信させることができる。またユーザは、ＵＳＢマーク１０５又はＵＳＢポート１０４を視認することで、ＵＳＢポート１０４の位置を認識することができる。ＮＦＣ基板１１３は、上記のＮＦＣ基板７０と同構成であり、第３筐体１１１内部のＮＦＣマーク１１２と対向する位置に設けられる。
【００５６】
変形例３の構成によれば、変形例２と同様の効果が得られる。加えて、第３筐体１１１の傾斜面１１１Ａがユーザに対峙するため、ユーザはＮＦＣマーク１１２を視認しやすく、外部機器をＮＦＣマーク１１２に載置しやすい。
【００５７】
［実施形態の効果］
上記の画像形成装置１は、排出ローラ２８によって排出されたシートを支持する排出トレイ６が上面に設けられ、シートに画像を形成する画像形成部を収容する第１筐体２を備える。また画像形成装置１は、第１筐体２の上方に設けられ、原稿の画像を読み取る画像読取部を収容する第２筐体３を備える。また画像形成装置１は、第１筐体２の上面に第２筐体３を持ち上げて支持するように設けられ、排出トレイ６に排出されたシートを取り出すための開口部４４の一部を形成する脚部４を備える。また画像形成装置１は、第１筐体２の上面又は脚部４に設けられ、排出ローラ２８のシート排出方向と直交する幅方向において排出トレイ６の幅外に配置され、近距離無線通信を行う外部機器を載置する位置を示すＮＦＣマーク７１を備える。また画像形成装置１は、第２筐体３又は脚部４に設けられ、幅方向においてＮＦＣマーク７１と同じ側であってＮＦＣマーク７１よりも上方又は下方に配置されたＵＳＢポート８１を備える。
【００５８】
この構成によれば、ＮＦＣマーク７１及びＵＳＢポート８１は排出されたシートに覆われることがないため、常にＮＦＣマーク７１及びＵＳＢポート８１の視認性が確保される。そして、ＮＦＣマーク７１とＵＳＢポート８１とが幅方向の同じ側に配置されることにより、ユーザは同じ方向を確認するだけでＮＦＣマーク７１とＵＳＢポート８１の両方を確認することができ、視認しやすい。また、ＮＦＣマーク７１とＵＳＢポート８１とが上下方向に離間して配置されることにより、ＵＳＢポート８１に差し込まれたＵＳＢ機器とＮＦＣマーク７１にかざす外部機器との干渉を抑制でき、操作性に優れる。
【００５９】
上記の画像形成装置１によれば、脚部４のシート排出方向下流側端面は、第２筐体３のシート排出方向下流側端部よりもシート排出方向上流側に配置され、ＵＳＢポート８１は、脚部４のシート排出方向下流側端面に設けられる。
【００６０】
この構成によれば、ＵＳＢポート８１に差し込まれたＵＳＢ機器が、平面視で第２筐体３から突出しにくくなるため、ユーザがＵＳＢ機器に衝突して破損する危険性を抑制できる。
【００６１】
上記の変形例２の画像形成装置１０によれば、脚部４は、着脱可能な第３筐体１０１を有し、ＮＦＣマーク１０２とＵＳＢポート１０４とは、第３筐体１０１の異なる面に設けられる。
【００６２】
この構成によれば、ＮＦＣ及びＵＳＢの機能を搭載しない仕様の場合は第３筐体１０１を取り付けず、ＮＦＣ及びＵＳＢの機能を搭載する仕様の場合は第３筐体１０１を取り付けることにより、異なる仕様の製品を簡単に製造することができる。
【００６３】
上記の変形例３の画像形成装置１１によれば、第３筐体１１１は、シート排出方向に下方へ傾斜した傾斜面１１１Ａを有し、ＮＦＣマーク１１２は、傾斜面１１１Ａに設けられる。
【００６４】
この構成によれば、傾斜面１１１Ａがユーザに対峙するため、ユーザはＮＦＣマーク１１２を視認しやすく、外部機器をＮＦＣマーク１１２に載置しやすい。
【００６５】
上記の変形例１の画像形成装置９によれば、ＵＳＢポート９１は、第２筐体３に設けられる。
【００６６】
この構成によれば、ＮＦＣマーク７１とＵＳＢポート９１とが上下方向に離間して配置されるため、ＵＳＢポート９１に差し込まれたＵＳＢ機器とＮＦＣマーク７１にかざす外部機器との干渉を抑制でき、操作性に優れる。
【００６７】
上記の画像形成装置１によれば、ＵＳＢポート８１は、平面視したときに第１筐体２と重なる位置に配置される。
【００６８】
この構成によれば、ＵＳＢポート８１に差し込まれたＵＳＢ機器が、平面視で第１筐体２から突出しにくくなるため、ユーザがＵＳＢ機器に衝突して破損する危険性を抑制できる。
【００６９】
上記の画像形成装置１によれば、幅方向においてＮＦＣマーク７１と同じ側に画像形成装置１の電源スイッチ２９が設けられる。
【００７０】
この構成によれば、ＮＦＣマーク７１とＵＳＢポート８１と電源スイッチ２９とが幅方向の同じ側に配置されることにより、ユーザは同じ方向を確認するだけでＮＦＣマーク７１とＵＳＢポート８１と電源スイッチ２９とを確認することができ、視認しやすい。
【００７１】
上記の画像形成装置１によれば、幅方向においてＮＦＣマーク７１と反対側に設けられ、画像形成装置１を操作するための操作パネル５を備える。
【００７２】
この構成によれば、操作パネル５によってＮＦＣマーク７１及びＵＳＢポート８１が覆われないため、ＮＦＣマーク７１及びＵＳＢポート８１の視認性を確保することができる。
【００７３】
上記の画像形成装置１によれば、ＮＦＣ基板７０が、ＮＦＣマーク７１と対向する位置に設けられる。
【００７４】
この構成によれば、ＮＦＣマーク７１の近傍にＮＦＣ基板７０を配置することで、良好な無線通信を実現することができる。
【符号の説明】
【００７５】
１、９、１０、１１  画像形成装置
２          第１筐体
３          第２筐体
４          脚部
５          操作パネル
６          排出トレイ
２８        排出ローラ
２９        電源スイッチ
４４        開口部
７０        ＮＦＣ基板
７１、１０２、１１２  ＮＦＣマーク（マーク）
８１、９１、１０４  ＵＳＢポート
１０１、１１１  第３筐体
１１１Ａ    傾斜面
【図１】
2020142393.tif 000003
【図２】
2020142393.tif 000004
【図３】
2020142393.tif 000005
【図４】
2020142393.tif 000006
【図５】
2020142393.tif 000007
【図６】
2020142393.tif 000008
【図７】
2020142393.tif 000009
【図８】
2020142393.tif 000010